(57)【要約】【課題】自動絞り装置との部品の共有化の容易な手動絞り装置を提供する。【解決手段】光路形成用の開口部１２を有した絞り基板１０、絞り基板の板面上をスライドする絞り羽根２０、３０を具備した絞りユニットＭＡと、絞り羽根を駆動するために絞り基板の取付開口部１５に着脱自在に取り付けられた駆動ユニットＭＢと、からなる。駆動ユニットは、取付開口部に対して着脱自在に係合する係合爪５２を有した円筒ケース５０と、円筒ケースの内周をガイドとしながら回転する回動レバー軸６０と、回動レバー軸の一端に設けられた駆動レバー６４と、回動レバー軸の他端にバネワッシャ７２を介してネジ止めされ、手動で回動レバー軸を回動させるための操作レバー８０と、から構成されている。【選択図】図１
0003125276.tif 000002
【実用新案登録請求の範囲】
【請求項１】
一端側に光路を形成する開口部を有した絞り基板、及び、該絞り基板の板面上に配置され、該板面に沿ってスライドすることで前記光路を絞り調節する絞り羽根、を具備した絞りユニットと、
前記絞り羽根を駆動するために前記絞り基板の他端側の取付開口部に着脱自在に取り付けられた駆動ユニットと、からなり、
前記駆動ユニットが、
軸方向の一端側に前記取付開口部に対して着脱自在に係合する係合部を有した円筒ケースと、
該円筒ケースの内周をガイドとしながら回転できるように前記円筒ケースに収容保持された回動レバー軸と、
前記回動レバー軸の一端に設けられ、前記絞り羽根と係合することで、回動レバー軸の回動に応じて前記絞り羽根を駆動する駆動レバーと、
前記回動レバー軸の他端に設けられ、手動で回動レバー軸を回動させるための操作レバーと、
から構成されていることを特徴とする手動絞り装置。
【請求項２】
請求項１に記載の手動絞り装置であって、
前記係合部として、前記円筒ケースの軸方向の一端側の周縁部に、半径方向外側に突出する複数の係合爪が設けられており、前記絞り基板の取付開口部の周縁に、前記円筒ケースの一端部を突き当てる突当壁と、前記係合爪の通過する切欠部と、該切欠部を通過した上で前記円筒ケースを回動させることにより係合爪と係合して円筒ケースを抜け止めする係合壁と、が設けられていることを特徴とする手動絞り装置。
【請求項３】
請求項１または２に記載の手動絞り装置であって、
前記回動レバー軸の一端部に外向きのフランジが設けられ、そのフランジが前記円筒ケースの一端部に当接することで、前記回動レバー軸の軸方向一方側への移動が規制され、一方、前記回動レバー軸の他端部の端面に前記操作レバーが後付けされ、その操作レバーが前記円筒ケースの他端部に当接することで、前記回動レバー軸の軸方向他方側への移動が規制され、更に、前記フランジに前記駆動レバーが一体化されていることを特徴とする手動絞り装置。
【請求項４】
請求項３に記載の手動絞り装置であって、
前記操作レバーを前記回動レバー軸の端面にバネワッシャを介してネジ止めし、ネジの締め付けにより発生する前記バネワッシャのバネ荷重により、前記操作レバーを前記円筒ケースの他端部に当接させたことを特徴とする手動絞り装置。
【請求項５】
請求項１〜４のいずれかに記載の手動絞り装置であって、
前記絞り基板の絞り羽根のスライドする板面と前記回動レバー軸の回動軸線が互いに直交する関係にあり、
前記絞り基板の一端側が、取付対象装置であるレンズ鏡筒の周面に設けた切欠部を通してレンズ鏡筒の内部に径方向から差し込み可能な挿入部分とされると共に、前記絞り基板の他端側の前記駆動ユニットの取付部分が、前記レンズ鏡筒の外部に露出する露出部分とされ、前記挿入部分をレンズ鏡筒の内部に差し込んで、前記露出部分に設けたブラケットをレンズ鏡筒に固定した状態で、前記操作レバーの操作部が、前記レンズ鏡筒の反対側を向くように配置されていることを特徴とする手動絞り装置。
【請求項６】
請求項１〜５のいずれかに記載の手動絞り装置であって、
前記円筒ケースが、磁性体で構成されており、内部にステータやロータを組み込んで電動式の駆動ユニットを構成した際にヨークとして機能する部品であることを特徴とする手動絞り装置。
【考案の詳細な説明】
【技術分野】
【０００１】
本考案は、監視カメラの撮像レンズ鏡筒などに組み付けられる手動絞り装置に関するものである。
【背景技術】
【０００２】
監視カメラ（ＣＣＴＶ）等の撮像レンズ鏡筒には、一般的に自動絞り装置が装備されており、電動式の駆動アクチュエータによって絞り径を調整することにより、最適な明るさの映像が得られるようになっている。
【０００３】
しかしながら、監視カメラなどでは、監視対象となる場所の明るさが常に一定で、いったん調整した絞り径を自動的に変化させる必要のない場合も多く、このような場合まで自動絞り装置を設けることは無駄である。
そこで、特許文献１や特許文献２などに開示される手動絞り装置が提案されている。
【０００４】
特許文献１に記載の手動絞り装置は、弧面を有する絞り枠（絞り基板に相当）と、絞り枠の弧面に沿って揺動自在となる状態でレンズ鏡筒に軸支され、外部に露出した部分を手動で直接操作するように構成された絞りレバーと、絞りレバーに係合させた状態でそれぞれが重ね合わせられて絞り枠に配置され、それぞれに絞り開口量を設定するための開口部を有し、絞りレバーの揺動操作によって絞り開閉動作を行う２枚の絞り羽根と、絞りレバーに外部に露出した部分として配置され、先端が絞り枠の弧面に当接することにより絞りレバーを絞り調整位置で固定するためのネジ固定式のロックツマミと、を含むことを特徴とするものである。
【０００５】
また、特許文献２に記載の手動絞り装置は、レンズ鏡筒内に径方向から差し込まれる開口付きの挿入部分及びレンズ鏡筒外に配置される取付部付きの延長部分を一体に形成している保持枠（絞り基板に相当）と、前記保持枠内に摺動自在に配置される２枚の絞り羽根と、前記延長部分に貫通された軸孔及び軸孔に対応し外面側に設けられた支持部と、前記軸孔を通じて前記延長部分内に一端側を突出し、他端側を前記支持部を介し枢支される回動軸と、前記支持部側に配置されている前記回動軸の軸周りに突設された操作レバーと、前記延長部分内に配置されると共に、前記回動軸の一端側に連結されて前記各絞り羽根を異方向に摺動する回動片とを備え、前記絞り羽根が、前記操作レバーの回動により前記回動軸及び回動片を介して作動調整されることを特徴とするものである。
【０００６】
【特許文献１】特許第３７３４３０７号公報
【特許文献２】特開２０００−２１４３６９号公報
【考案の開示】
【考案が解決しようとする課題】
【０００７】
ところで、従来の手動絞り装置は、絞りレバーを直接レンズ鏡筒によって軸支したり（特許文献１参照）、絞り基板（保持枠）に直接操作レバーを支持する部分（軸孔や支持部）を設けたり（特許文献２参照）しており、手動式とするための専用の構成を有するものであったため、自動絞り装置と部品を共有したり、駆動機構部分だけを絞り機構部分から取り外して、自動絞り装置用の駆動機構部分に簡単に付け替えたりすることまではできなかった。つまり、自動絞り装置との共通点を持たないものであることから、自動絞り装置とは全く別の製品として提供せざるを得ず、自動式と手動式を適宜に供給する製造者側から見た場合に、生産性が悪いという問題があった。
【０００８】
本考案は、上記事情を考慮し、自動絞り装置との部品の共有化の容易な手動絞り装置を提供することを目的とする。
【課題を解決するための手段】
【０００９】
請求項１の考案は、一端側に光路を形成する開口部を有した絞り基板、及び、該絞り基板の板面上に配置され、該板面に沿ってスライドすることで前記光路を絞り調節する絞り羽根、を具備した絞りユニットと、前記絞り羽根を駆動するために前記絞り基板の他端側の取付開口部に着脱自在に取り付けられた駆動ユニットと、からなり、前記駆動ユニットが、軸方向の一端側に前記取付開口部に対して着脱自在に係合する係合部を有した円筒ケースと、該円筒ケースの内周をガイドとしながら回転できるように前記円筒ケースに収容保持された回動レバー軸と、前記回動レバー軸の一端に設けられ、前記絞り羽根と係合することで、回動レバー軸の回動に応じて前記絞り羽根を駆動する駆動レバーと、前記回動レバー軸の他端に設けられ、手動で回動レバー軸を回動させるための操作レバーと、から構成されていることを特徴とする。
【００１０】
請求項２の考案は、請求項１に記載の手動絞り装置であって、前記係合部として、前記円筒ケースの軸方向の一端側の周縁部に、半径方向外側に突出する複数の係合爪が設けられており、前記絞り基板の取付開口部の周縁に、前記円筒ケースの一端部を突き当てる突当壁と、前記係合爪の通過する切欠部と、該切欠部を通過した上で前記円筒ケースを回動させることにより係合爪と係合して円筒ケースを抜け止めする係合壁と、が設けられていることを特徴とする。
【００１１】
請求項３の考案は、請求項１または２に記載の手動絞り装置であって、前記回動レバー軸の一端部に外向きのフランジが設けられ、そのフランジが前記円筒ケースの一端部に当接することで、前記回動レバー軸の軸方向一方側への移動が規制され、一方、前記回動レバー軸の他端部の端面に前記操作レバーが後付けされ、その操作レバーが前記円筒ケースの他端部に当接することで、前記回動レバー軸の軸方向他方側への移動が規制され、更に、前記フランジに前記駆動レバーが一体化されていることを特徴とする。
【００１２】
請求項４の考案は、請求項３に記載の手動絞り装置であって、前記操作レバーを前記回動レバー軸の端面にバネワッシャを介してネジ止めし、ネジの締め付けにより発生する前記バネワッシャのバネ荷重により、前記操作レバーを前記円筒ケースの他端部に当接させたことを特徴とする。
【００１３】
請求項５の考案は、請求項１〜４のいずれかに記載の手動絞り装置であって、前記絞り基板の絞り羽根のスライドする板面と前記回動レバー軸の回動軸線が互いに直交する関係にあり、前記絞り基板の一端側が、取付対象装置であるレンズ鏡筒の周面に設けた切欠部を通してレンズ鏡筒の内部に径方向から差し込み可能な挿入部分とされると共に、前記絞り基板の他端側の前記駆動ユニットの取付部分が、前記レンズ鏡筒の外部に露出する露出部分とされ、前記挿入部分をレンズ鏡筒の内部に差し込んで、前記露出部分に設けたブラケットをレンズ鏡筒に固定した状態で、前記操作レバーの操作部が、前記レンズ鏡筒の反対側を向くように配置されていることを特徴とする。
【００１４】
請求項６の考案は、請求項１〜５のいずれかに記載の手動絞り装置であって、前記円筒ケースが、磁性体で構成されており、内部にステータやロータを組み込んで電動式の駆動ユニットを構成した際にヨークとして機能する部品であることを特徴とする。
【考案の効果】
【００１５】
請求項１の考案によれば、操作レバーを操作して回動レバー軸を回転させることにより、駆動レバーを介して絞り羽根を駆動することができ、絞り開度（絞り径とも言う）を調整することができる。この場合、絞り開度を手動で調整できる手動式の駆動ユニットを用いているが、同駆動ユニットの円筒ケースを、電動式の駆動ユニットと共通部品化することができる。即ち、円筒ケースの中にステータとロータを組み込むことで、電動式の駆動ユニットとすることができるし、またステータやロータの代わりに、円筒ケースに、回動レバー軸や駆動レバー及び操作レバーを組み付けることで、手動式の駆動ユニットとすることができる。従って、絞りユニットに対する駆動ユニットの取付態様を同一にしながら、手動式にするか電動式にするかを自由に選ぶことができるようになり、生産コストや部品管理コストの削減が図れる。また、絞りユニットと駆動ユニットを別ユニット化していることからも、生産性の向上が図れる。
【００１６】
請求項２の考案によれば、円筒ケースの一端部を突当壁に突き当てながら、同端部に設けた係合爪を、絞り基板の取付開口部に設けた切欠部に差し込んで、円筒ケースを回すだけで、係合爪を係合壁に係合させることができ、ネジ等の部品を使用しないで、円筒ケースを絞り基板に簡単・確実に取り付けることができる。従って、その係合機構を介して、駆動ユニットを絞りユニットに簡単に取り付けたり取り外したりすることができる。
【００１７】
請求項３の考案によれば、回動レバー軸を確実に抜け止めしながら、円筒ケースに組み付けることができる。しかもその状態で、回動レバー軸の回転を、円筒ケースの内周と円筒ケースの軸方向両端部でガイドすることができるので、スムーズな回動操作が可能となる。また、円筒ケースに挿入した回動レバー軸の他端部に操作レバーを後付けするだけで、簡単に駆動ユニットの組み付けを完了することができるので、組み付け作業性がよい。
【００１８】
請求項４の考案によれば、ネジの締め付けにより発生するバネワッシャのバネ荷重により、操作レバーを円筒ケースの他端部に当接させているので、ネジの締め付けトルクの調節によって、操作レバーと円筒ケースの間の摩擦力を調整でき、それにより、回動レバー軸の保持力（回動トルク）を調節することができる。従って、任意の絞り位置に調整した状態で、操作レバーから手を離すだけで、予め調整したバネ荷重による保持力によって、その位置に回動レバー軸及び絞り羽根を保持しておくことができ、いったん調整した絞り径がずれたりする心配もないし、絞りの微調整も容易である。
【００１９】
請求項５の考案によれば、レンズ鏡筒に絞り装置を装着した際に、操作レバーの操作部がレンズ鏡筒の反対側を向くようにしてあるので、操作がしやすい。また、レンズ鏡筒の外側に駆動ユニットが位置するので、手動式の駆動ユニットから電動式の駆動ユニットに切り替える場合にも対応しやすい。また、絞り装置をレンズ鏡筒内に径方向から差し込むことができるので、絞り装置の取り付け・取り外しが容易にできる。
【００２０】
請求項６の考案によれば、円筒ケースが、ヨーク機能を発揮できるものとして構成されているため、円筒ケース内部にステータやロータを組み込んで電動式の駆動ユニットを構成した場合に、その駆動ユニットの作動性能の向上を図ることができる。
【考案を実施するための最良の形態】
【００２１】
以下、本考案の実施形態を説明する。
図１は本考案の実施形態の手動絞り装置の分解斜視図、図２は同手動絞り装置を完成させるために絞りユニットに駆動ユニットを取り付けようとしている状態を示す側断面図、図３は同絞りユニットに駆動ユニットを取り付けて手動絞り装置を完成させた状態を示す側断面図、図４（ａ）は絞りユニットと駆動ユニットの平面図、（ｂ）は駆動ユニットの側面図、図５は絞りユニットに駆動ユニットを取り付けて手動絞り装置を完成させた状態を示す平面図、図６は図５の内容に絞り羽根を加えた状態を示す平面図、図７は駆動ユニット側から見た手動絞り装置の背面図で、（ａ）は最大絞り時の状態を示す図、（ｂ）は絞り開放の状態を示す図、図８は実施形態の手動絞り装置を取付対象装置であるレンズ鏡筒に差し込もうとしている状態を示す斜視図である。
【００２２】
また、図９〜図１２は本考案の実施形態の手動絞り装置の比較対象例として示す自動絞り装置の説明図で、図９は前記駆動ユニットの一部の部品を変更して構成した自動絞り装置の分解斜視図、図１０は同自動絞り装置を構成するために絞りユニットに電動式の駆動ユニットを取り付けようとしている状態を示す側断面図、図１１は絞りユニットに電動式の駆動ユニットを取り付けて自動絞り装置を完成させた状態を示す側断面図、図１２は完成させた自動絞り装置を取付対象装置であるレンズ鏡筒に差し込もうとしている状態を示す斜視図である。
【００２３】
まず、図１〜図８を用いて、本考案の実施形態の手動絞り装置について説明する。
図１〜図３に示すように、この手動絞り装置Ｍ１は、それぞれ別々に組み立て可能な絞りユニットＭＡと、駆動ユニットＭＢとを組み合わせて構成したものである。
【００２４】
絞りユニットＭＡは、長手方向の一端側に光路を形成する開口部１２を有した長方形板状の絞り基板１０と、この絞り基板１０の板面上に配置され、該板面に沿って互いに逆方向に直線的にスライドすることで、前記光路を絞り調節する２枚の絞り羽根３０、４０と、これら絞り羽根３０、４０を絞り基板１０から脱落しないように押える羽根押え板４０と、からなる。
【００２５】
また、駆動ユニットＭＢは、絞り羽根３０、４０を駆動するために絞り基板１０の長手方向の他端側の取付開口部１５に着脱自在に取り付けられるもので、軸方向の一端側に絞り基板１０の取付開口部１５に対して着脱自在に係合する２つの係合爪（係合部）５２を有した円筒ケース５０と、この円筒ケース５０の内周をガイドとしながら回転できるように円筒ケース５０に収容保持される回動レバー軸６０と、この回動レバー軸６０の一端に設けられ、絞り羽根３０、４０の係合孔２３、３３に駆動ピン６３、６３を係合させることで、回動レバー軸６０の回動に応じて絞り羽根３０、４０を互いに逆方向にスライド駆動する駆動レバー６４と、回動レバー軸６０の他端に設けられ、手動で回動レバー軸６０を回動させるための操作レバー８０と、から構成されている。
【００２６】
詳しく述べると、絞り基板５０の絞り羽根３０、４０のスライドする板面と、回動レバー軸６０の回動軸線とは、互いに直交する関係にある。そして、絞り基板５０の一端側が、図８に示すように、取付対象装置であるレンズ鏡筒１００の周面に設けたスリット状の切欠部１０１を通して、レンズ鏡筒１００の内部に径方向から差し込み可能な挿入部分１０Ａとされている。また、絞り基板１０の他端側の駆動ユニットＭＢの取付部分が、レンズ鏡筒１００の外部に露出する露出部分１０Ｂとされている。レンズ鏡筒１００の周面には、前記切欠部１０１を有する取付面１０２が設けられており、その取付面１０２の切欠部１０１を挟んだ両側に、手動絞り装置Ｍ１の取付ネジ１１０をねじ込むネジ孔１０３が設けられている。
【００２７】
絞り基板１０は、光路形成用の開口部１２を有し、板面上を絞り羽根３０、４０がスライドする底板１１と、底板１１の周縁から起立した起立縁１６と、レンズ鏡筒１００への取り付けのために露出部分１０Ｂの外周に張り出したネジ通し用の切欠１３ａの付いた２つのブラケット１３と、を備える。また、底板１１の上面には、各絞り羽根３０、４０のガイド溝２２、３２に係合することで、絞り羽根２０、３０のスライド動作をガイドするフック形状の係合突起１８が設けられている。
【００２８】
また、絞り基板１０の露出部分１０Ｂの底板１４に設けた取付開口部１５の周縁には、図２〜図４に示すように、円筒ケース５０の一端部を突き当てる突当壁１１ａと、円筒ケース５０の係合爪５２の通過する切欠部１５ａと、切欠部１５ａを通過した上で円筒ケース５０を回動させることにより、係合爪５２と係合して円筒ケース５０を抜け止めする係合壁１４ａと、が設けられている。円筒ケース５０の係合爪５２は、円筒壁５１の軸方向の一端縁に、半径方向外側に突出させて、１８０度対向する位置に２つ設けられている。
【００２９】
絞り羽根２０、３０は、絞り開口を形成するための切欠部２１、３１を有し、羽根押え板４１は、絞り基板１０の開口部１２に対応した位置に同様の開口部４１を有している。
【００３０】
絞りユニットＭＡは、絞り基板１０の底板１１の上面に、ガイド溝２２、３２を係合突起１８に係合させながら、２枚の絞り羽根２０、３０を重ねて載置し、更にその上に羽根押え板４０を載置して、その羽根押え板４０の周縁部を絞り基板１０に係止することによって組み立てられている。
【００３１】
駆動ユニットＭＢを構成する円筒ケース５０は、磁性体で構成されており、内部にステータやロータを組み込んで電動式の駆動ユニット（図９〜図１２参照）を構成した際にヨークとして機能する部品であって、電動式の駆動ユニットとの共有部品が使われている。
【００３２】
この場合の手動式の駆動ユニットＭＢは、円筒ケース５０の一端側から樹脂製の回動レバー軸６０を挿入し、この回動レバー軸６０の他端側に操作レバー８０をネジ７４で止めることによって組み立てられている。
【００３３】
即ち、回動レバー軸６０の一端部には、円筒ケース５０の内径よりも径大の外向きのフランジ６２が一体形成されており、そのフランジ６２を円筒ケース５０の一端部に当接させることにより、回動レバー軸６０の軸方向一方側への移動が規制されている。そして、駆動ピン６３を有する駆動レバー６４は、そのフランジ６２に一体的に形成されている。
【００３４】
また、回動レバー軸６０の他端部の端面には、円筒ケース５０の内径よりも径大の平ワッシャ７１及びバネワッシャ７２を、円筒ケース５０の端面との間に挟んだ状態で、操作レバー８０が小ワッシャ７３を介してネジ７４で止められており、そのネジ７４の締め付けにより発生するバネワッシャ７２のバネ荷重によって、操作レバー８０を円筒ケース５０の他端部に当接させることにより、回動レバー軸６０の軸方向他方側への移動が規制されている。
【００３５】
この操作レバー８０は、ネジ７４の挿通する中心孔８１ａを有した円板部８１と、円板部８１の周縁に突片８２を介して連設された円弧壁状の操作ノブ（操作端）８３とからなる。
【００３６】
絞りユニットＭＡに駆動ユニットＭＢを組み付ける場合は、図４に示すように、駆動ユニットＭＢ側の円筒ケース５０の係合爪５２の位置を、絞り基板１０の取付開口部１５の周縁の切欠部１５ａに位置決めして、図中矢印Ｘ１で示すように、係合爪５２を切欠部１５ａに通過させる。そして、図３に示すように、円筒ケース５０の端部を絞り基板１０側の突当壁１１ａに突き当てた状態で、円筒ケース５０を矢印Ｘ２方向（図４）へ回す。そうすると、図５に示すように、係合爪５２が絞り基板１０の係合壁１４ａの上に乗り上げて、係合爪５２と係合壁１４ａとが係合する。このとき、係合爪５２の厚みが、係合壁１４ａと突当壁１１ａの間隔Ｈ（図２）より厚くなっているため、係合爪５２が係合壁１４ａにきつく係合し、回り止めされる。
【００３７】
このように駆動ユニットＭＢを組み付けたとき、図６に示すように、駆動レバー６０の２本の駆動ピン６３を各絞り羽根２０、３０の係合孔２３、３３にそれぞれ係合させる。それにより、本実施形態の手動絞り装置Ｍ１が完成する。
【００３８】
図６は操作レバー８０を中立位置に保持した場合を示すが、図７の（ａ）に示すように、操作レバー８０を矢印ＸＡ方向に回動させることにより、絞り羽根２０、３０を最大絞り位置に作動させることができるし、（ｂ）に示すように、操作レバー８０を矢印ＸＢ方向に回動させることにより、絞り羽根２０、３０を絞り開放に作動させることができる。
【００３９】
また、この手動絞り装置Ｍ１をレンズ鏡筒１００に取り付ける場合は、図８に示すように、挿入部分１０Ａをレンズ鏡筒１００に設けた切欠部１０１から差し込んで、絞りユニットＭＡの露出部分１０Ｂに設けたブラケット１３を取付ネジ１１０でネジ孔１０３に締め付ける。そのように取り付けると、操作レバー８０の操作ノブ８３がレンズ鏡筒１００の反対側を向く。
【００４０】
従って、絞り操作がやりやすい。また、レンズ鏡筒１００の外側に駆動ユニットＭＢが位置することになるので、手動式の駆動ユニットＭＢから電動式の駆動ユニットＭＣ（図９〜図１２参照）に切り替える場合にも対応しやすい。また、絞り装置Ｍ１をレンズ鏡筒１００内に径方向から差し込むことができるので、絞り装置Ｍ１の取り付け・取り外しが容易にできる。
【００４１】
この場合、絞り開度を手動で調整できる手動式の駆動ユニットＭＢを用いているが、同駆動ユニットＭＢの円筒ケース５０は、電動式の駆動ユニットＭＣと共通部品化しているので、図９に示すように、円筒ケース５０の中にステータ１５０とロータ１６０を組み込むことにより、簡単に電動式の駆動ユニットＭＣとすることができる。
【００４２】
この場合、ステータ１５０は、コイルボビン１５１にコイル１５２を巻き付け、更にコイルボビン１５１に軸受部材１５３を装着することで構成してある。また、ロータ１６０は、外周に永久磁石１６２を配置したロータ軸１６１の一端に、駆動ピン１６３を有する駆動レバー１６４を設けたものである。このようなステータ１５０とロータ１６０をヨークとして機能する円筒ケース５０に組み込んで、円筒ケース５０の端面を基板１７０で塞ぐことにより、電動式の駆動ユニットＭＣを構成することができる。あとは、手動式の場合と同様に、この駆動ユニットＭＣの円筒ケース５０の係合爪５２を、絞りユニットＭＡの取付開口部１５に装着することにより、自動絞り装置Ｍ２を構成することができる。
【００４３】
従って、図８に示すように、レンズ鏡筒１００の切欠部１０１から、手動式の場合と全く同様に、この自動絞り装置Ｍ２の挿入部分を差し込んで、ネジ１１０を締め付けることにより、レンズ鏡筒１００に取り付けることができる。
【００４４】
このように、自動式と共用の円筒ケース５０に、ステータやロータの代わりに、回動レバー軸６０や駆動レバー６４及び操作レバー８０を組み付けることで、手動式の駆動ユニットＭＢとすることができるので、絞りユニットＭＡに対する駆動ユニットＭＢ、ＭＣの取付態様を同一にしながら、手動式にするか電動式にするかを自由に選ぶことができるようになり、生産コストや部品管理コストの削減が図れる。また、絞りユニットＭＡと駆動ユニットＭＢ、ＭＣを別ユニット化していることからも、生産性の向上が図れる。
【００４５】
また、駆動ユニットＭＢ、ＭＣの取り付けの際には、円筒ケース５０の一端部を突当壁１１ａに突き当てながら、同端部に設けた係合爪５２を、絞り基板１０の取付開口部１５に設けた切欠部１５ａに差し込んで、円筒ケース５０を回すだけで、係合爪５２を係合壁１４ａに係合させることができるので、ネジ等の部品を使用しないで、円筒ケース５０を絞り基板１０に簡単・確実に取り付けることができる。従って、その係合機構を介して、駆動ユニットＭＢ、ＭＣを絞りユニットＭＡに簡単に取り付けたり取り外したりすることができる。
【００４６】
また、円筒ケース５０の両端に、回動レバー軸６０の一端に設けたフランジ６２と、回動レバー軸６０の他端に設けた操作レバー８０を当接させているので、回動レバー軸６０を確実に抜け止めしながら、円筒ケース５０に組み付けることができる。しかもその状態で、回動レバー軸６０の回転を、円筒ケース５０の内周と円筒ケース５０の軸方向両端部でガイドすることができるので、スムーズな回動操作が可能となる。また、円筒ケース５０に挿入した回動レバー軸６０の他端部に操作レバー８０を後付けするだけで、簡単に駆動ユニットＭＢの組み付けを完了することができるので、組み付け作業性がよい。
【００４７】
また、ネジ７４の締め付けにより発生するバネワッシャ７２のバネ荷重により、操作レバー８０を円筒ケース５０の他端部に当接させているので、ネジ７４の締め付けトルクの調節によって、操作レバー８０と円筒ケース８０の間の摩擦力を調整でき、それにより、回動レバー軸６０の保持力（回動トルク）を簡単に調節することができる。従って、任意の絞り位置に調整した状態で、操作レバー８０から手を離すだけで、予め調整したバネ荷重による保持力によって、その位置に回動レバー軸６０及び絞り羽根２０、３０を保持しておくことができ、いったん調整した絞り径がずれたりする心配もないし、絞りの微調整も容易である。
【００４８】
また、円筒ケース５０は、ヨーク機能を発揮できるものとして構成してあるため、図９に示すように、円筒ケース５０内部にステータ１５０やロータ１６０を組み込んで電動式の駆動ユニットＭＣを構成した場合に、その駆動ユニットＭＣの作動性能の向上を図ることができる。
【図面の簡単な説明】
【００４９】
【図１】本考案の実施形態の手動絞り装置の分解斜視図である。
【図２】同手動絞り装置を完成させるために絞りユニットに駆動ユニットを取り付けようとしている状態を示す側断面図である。
【図３】同絞りユニットに駆動ユニットを取り付けて手動絞り装置を完成させた状態を示す側断面図である。
【図４】（ａ）は絞りユニットと駆動ユニットの平面図、（ｂ）は駆動ユニットの側面図である。
【図５】絞りユニットに駆動ユニットを取り付けて手動絞り装置を完成させた状態を示す平面図である。
【図６】図５の内容に絞り羽根を加えた状態を示す平面図である。
【図７】駆動ユニット側から見た手動絞り装置の背面図で、（ａ）は最大絞り時の状態を示す図、（ｂ）は絞り開放の状態を示す図である。
【図８】実施形態の手動絞り装置を取付対象装置であるレンズ鏡筒に差し込もうとしている状態を示す斜視図である。
【図９】本考案の実施形態の手動絞り装置の比較対象例として示す自動絞り装置の説明図で、駆動ユニットの一部の部品を変更して構成した自動絞り装置の分解斜視図である。
【図１０】同自動絞り装置を構成するために絞りユニットに電動式の駆動ユニットを取り付けようとしている状態を示す側断面図である。
【図１１】同絞りユニットに電動式の駆動ユニットを取り付けて自動絞り装置を完成させた状態を示す側断面図である。
【図１２】完成させた自動絞り装置を取付対象装置であるレンズ鏡筒に差し込もうとしている状態を示す斜視図である。
【符号の説明】
【００５０】
１０  絞り基板
１０Ａ  挿入部分
１０Ｂ  露出部分
１１ａ  突当壁
１２  開口部
１４ａ  係合壁と
１５  取付開口部
１５ａ  切欠部
２０，３０  絞り羽根
５０  円筒ケース（ヨーク）
５２  係合爪（係合部）
６０  回動レバー軸
６２  フランジ
６４  駆動レバー
７２  バネワッシャ
７４  ネジ
８０  操作レバー
８３  操作ノブ（操作部）
１００  レンズ鏡筒
１０１  切欠部
１５０  ステータ
１６０  ロータ
ＭＡ  絞りユニット
ＭＢ  駆動ユニット
ＭＣ  電動式の駆動ユニット
【図１】
0003125276.tif 000003
【図２】
0003125276.tif 000004
【図３】
0003125276.tif 000005
【図４】
0003125276.tif 000006
【図５】
0003125276.tif 000007
【図６】
0003125276.tif 000008
【図７】
0003125276.tif 000009
【図８】
0003125276.tif 000010
【図９】
0003125276.tif 000011
【図１０】
0003125276.tif 000012
【図１１】
0003125276.tif 000013
【図１２】
0003125276.tif 000014
【手続補正書】
【提出日】平成18年7月12日(2006.7.12)
【手続補正１】
【補正対象書類名】明細書
【補正対象項目名】００２４
【補正方法】変更
【補正の内容】
【００２４】
絞りユニットＭＡは、長手方向の一端側に光路を形成する開口部１２を有した長方形板状の絞り基板１０と、この絞り基板１０の板面上に配置され、該板面に沿って互いに逆方向に直線的にスライドすることで、前記光路を絞り調節する２枚の絞り羽根２０、３０と、これら絞り羽根２０、３０を絞り基板１０から脱落しないように押える羽根押え板４０と、からなる。
【手続補正２】
【補正対象書類名】明細書
【補正対象項目名】００２５
【補正方法】変更
【補正の内容】
【００２５】
また、駆動ユニットＭＢは、絞り羽根２０、３０を駆動するために絞り基板１０の長手方向の他端側の取付開口部１５に着脱自在に取り付けられるもので、軸方向の一端側に絞り基板１０の取付開口部１５に対して着脱自在に係合する２つの係合爪（係合部）５２を有した円筒ケース５０と、この円筒ケース５０の内周をガイドとしながら回転できるように円筒ケース５０に収容保持される回動レバー軸６０と、この回動レバー軸６０の一端に設けられ、絞り羽根２０、３０の係合孔２３、３３に駆動ピン６３、６３を係合させることで、回動レバー軸６０の回動に応じて絞り羽根２０、３０を互いに逆方向にスライド駆動する駆動レバー６４と、回動レバー軸６０の他端に設けられ、手動で回動レバー軸６０を回動させるための操作レバー８０と、から構成されている。
【手続補正３】
【補正対象書類名】明細書
【補正対象項目名】００２６
【補正方法】変更
【補正の内容】
【００２６】
詳しく述べると、絞り基板１０の絞り羽根２０、３０のスライドする板面と、回動レバー軸６０の回動軸線とは、互いに直交する関係にある。そして、絞り基板１０の一端側が、図８に示すように、取付対象装置であるレンズ鏡筒１００の周面に設けたスリット状の切欠部１０１を通して、レンズ鏡筒１００の内部に径方向から差し込み可能な挿入部分１０Ａとされている。また、絞り基板１０の他端側の駆動ユニットＭＢの取付部分が、レンズ鏡筒１００の外部に露出する露出部分１０Ｂとされている。レンズ鏡筒１００の周面には、前記切欠部１０１を有する取付面１０２が設けられており、その取付面１０２の切欠部１０１を挟んだ両側に、手動絞り装置Ｍ１の取付ネジ１１０をねじ込むネジ孔１０３が設けられている。
【手続補正４】
【補正対象書類名】明細書
【補正対象項目名】００２７
【補正方法】変更
【補正の内容】
【００２７】
絞り基板１０は、光路形成用の開口部１２を有し、板面上を絞り羽根２０、３０がスライドする底板１１と、底板１１の周縁から起立した起立縁１６と、レンズ鏡筒１００への取り付けのために露出部分１０Ｂの外周に張り出したネジ通し用の切欠１３ａの付いた２つのブラケット１３と、を備える。また、底板１１の上面には、各絞り羽根２０、３０のガイド溝２２、３２に係合することで、絞り羽根２０、３０のスライド動作をガイドするフック形状の係合突起１８が設けられている。
【手続補正５】
【補正対象書類名】明細書
【補正対象項目名】００４７
【補正方法】変更
【補正の内容】
【００４７】
また、ネジ７４の締め付けにより発生するバネワッシャ７２のバネ荷重により、操作レバー８０を円筒ケース５０の他端部に当接させているので、ネジ７４の締め付けトルクの調節によって、操作レバー８０と円筒ケース５０の間の摩擦力を調整でき、それにより、回動レバー軸６０の保持力（回動トルク）を簡単に調節することができる。従って、任意の絞り位置に調整した状態で、操作レバー８０から手を離すだけで、予め調整したバネ荷重による保持力によって、その位置に回動レバー軸６０及び絞り羽根２０、３０を保持しておくことができ、いったん調整した絞り径がずれたりする心配もないし、絞りの微調整も容易である。